(57)【特許請求の範囲】
【請求項１】
固体撮像素子収納凹部を有し、該収納凹部に収納される固体撮像素子の各電極を外部に電気的に導出するリードが形成され、上記固体撮像素子収納凹部の両側にそれぞれに位置決め孔及び取付孔を設けた、矩形平面形状を有する固体撮像素子収納パッケージにおいて、
上記各位置決め孔及び上記各取付孔は、該位置決め孔の中心同士を結ぶ直線と該取付孔の中心同士を結ぶ直線とが収納パッケージ自身の略中心で交差し、当該２直線が上記矩形平面形状の各辺との水平方向、垂直方向に対して斜めになるような位置関係を有し、かつ該収納凹部の対向する２辺の延長線間に略配置され、
上記固体撮像素子収納凹部の両側表面は、固体撮像素子収納凹部に上記固体撮像素子を収納し、上記固体撮像素子を透明部材により封止したとき、上記透明部材の表面よりも高くなるように設定される、
ことを特徴とする固体撮像素子収納パッケージ。
【請求項２】
固体撮像素子収納凹部を有する固体撮像素子収納パッケージと、該固体撮像素子収納凹部に収納される固体撮像素子と、該固体撮像素子収納凹部内に固体撮像素子を封止する透明部材とからなる固体撮像装置であって、
上記固体撮像素子収納パッケージの上記固体撮像素子収納凹部には、収納される固体撮像素子の各電極を外部に電気的に導出するリードが形成され、
上記固体撮像素子収納凹部の両側には、位置決め孔と取付孔が設けられ、上記各位置決め孔及び上記各取付孔は、該位置決め孔の中心同士を結ぶ直線と該取付孔の中心同士を結ぶ直線とが上記固体撮像素子収納パッケージの略中心で交差し、当該２直線が上記矩形平面形状の上記固体撮像素子収納パッケージの各辺との水平方向、垂直方向に対して斜めになるような位置関係を有し、かつ該収納凹部の対向する２辺の延長線間に略配置され、
上記固体撮像素子収納凹部の両側表面は、固体撮像素子収納凹部に上記固体撮像素子を収納し、上記固体撮像素子を上記透明部材により封止したとき、上記透明部材の表面よりも高くなるように設定される、
ことを特徴とする固体撮像装置。
【発明の詳細な説明】
【０００１】
【発明の属する技術分野】
本発明は、固体撮像素子収納パッケージ、特に、固体撮像素子収納凹部を有し、該収納凹部に収納される固体撮像素子の各電極を外部に電気的に導出するリードが形成され、上記固体撮像素子収納凹部の両側にそれぞれに位置決め孔及び取付孔を設けた平面形状が略矩形状の固体撮像素子収納パッケージ等と、該固体撮像素子収納パッケージに固体撮像素子を収納した固体撮像装置に関する。
【０００２】
【従来の技術】
一般に、固体撮像装置は、固体撮像素子を収納する収納凹部を有し、該収納凹部に収納される固体撮像素子の各電極を外部に電気的に導出するリードを設けた固体撮像素子収納パッケージに収納される。具体的には、該固体撮像素子収納パッケージの上記収納凹部上に固体撮像素子をダイボンディングし、該固体撮像素子の電極と上記リードの内端を例えばワイヤボンディングにより電気的に接続し、その後、上記固体撮像素子を透明部材により封止することより組み立てられる。
【０００３】
そして、固体撮像素子収納パッケージとして位置決め孔と取付孔を有するものが用いられる。位置決め孔は固体撮像素子収納パッケージに固体撮像素子をマウントするときの位置決めの基準にするためのものであり、取付孔は固体撮像素子収納パッケージをレンズ筐体に取り付けるために取り付けボルト等を通すためのものである。図３はこのような位置決め孔及び取付孔を有する、従来の固体撮像素子収納パッケージの一例を示す平面図である。
【０００４】
同図において、１はパッケージ、２は固体撮像素子を収納する収納凹部で、パッケージ１の中央部に設けられている。ｏはパッケージ１の中心点である（収納凹部２の中心点でもある）。３、４はパッケージ１の収納凹部２の両側に設けられた位置決め孔で、該位置決め孔３と位置決め孔４を結ぶ線がパッケージ１の一つの辺（本例の場合長辺）に平行になるような位置関係に配置されている。尚、位置決め孔３と４のうちの一方４は上記結ぶ線の方向に長い長孔になっている。
【０００５】
５、６はパッケージ１の収納凹部２の高さ方向の中央部の両側に設けられた取付孔で、該取付孔５と取付孔６を結ぶ線がパッケージ１の中心ｏを通りその上記一つの辺（本例の場合長辺）と平行になるような位置関係に配置されている。取付孔５と６とはねじ締め付けトルクを均一にするために必ずパッケージ１の中心ｏに対して対称となる位置に配置する必要がある。
【０００６】
このように、従来において、固体撮像素子収納パッケージは位置決め孔３と４とを、そして、取付孔５と６とを、図３に示すように固体撮像素子収納パッケージ１の水平方向の一直線上に位置するように、或いは垂直方向の一直線上に位置するように配置するようにしており、位置決め孔３と４を結ぶ直線と、取付孔５と６を結ぶ直線とが平行になっていた。
【０００７】
【発明が解決しようとする課題】
ところで、固体撮像素子収納パッケージは、固体撮像装置を用いる例えばビデオカメラ、スチルカメラ等の装置の小型化の要請に応えるために、可能な限り小さくすることが要求されている。しかし、上述した従来の技術によれば、同じ大きさの固体撮像素子に対するパッケージの大きさを小さくすることに限界があった。というのは、図３に示す固体撮像素子収納パッケージ１を例とすると、パッケージ１の取付孔５、６の形成部の位置決め孔３、４形成部と反対側に無駄なスペースができ、その存在がパッケージ１の小型化を阻むからである。
【０００８】
因みに、図３に示す従来例の場合、取付孔５、６の径をａ、取付孔５、６と位置決め孔３、４との間に設けるべき間隔をｂ、位置決め孔３、４の径をｃ、位置決め孔３、４とパッケージ１の辺との間に設けるべき距離をｄとすると、パッケージ１の短辺の２分の１の長さが（ａ／２）＋ｂ＋ｃ＋ｄとなる。換言すれば、短辺の長さが２＊｛（ａ／２）＋ｂ＋ｃ＋ｄ｝となる。
【０００９】
本発明はこのような問題点を解決すべく為されたものであり、同じ大きさの固体撮像素子に対する固体撮像素子収納パッケージを小さくし、延いてはそれに固体撮像素子を収納させた固体撮像装置を小さくすることを目的とし、更には、固体撮像装置を用いたビデオカメラ、スチルカメラ等の装置の小型化を可能にすることを目的とする。
【００１０】
【課題を解決するための手段】
上記課題を解決し、本発明の目的を達成するため、本発明は、以下に示す「固体撮像素子収納パッケージ」とそれを用いた「固体撮像装置」を提供する。
まず、本発明の固体撮像素子収納パッケージは、固体撮像素子収納凹部を有し、該収納凹部に収納される固体撮像素子の各電極を外部に電気的に導出するリードが形成され、上記固体撮像素子収納凹部の両側にそれぞれに位置決め孔及び取付孔を設けた略矩形平面形状に構成されている。そして、各位置決め孔及び各取付孔は、該位置決め孔の中心同士を結ぶ直線と該取付孔の中心同士を結ぶ直線とが収納パッケージ自身の略中心で交差し、矩形平面形状の水平方向、垂直方向に対して斜めになるような位置関係を有し、かつ該収納凹部の対向する２辺の延長線間に略配置するようになっている。
更に、固体撮像素子収納凹部の両側表面は、固体撮像素子収納凹部に上記固体撮像素子を収納し、上記固体撮像素子を透明部材により封止したとき、上記透明部材の表面よりも高くなるように設定される、ことを特徴としている。
また、本発明の固体撮像装置は、上述した固体撮像素子収納パッケージを有し、この固体撮像素子収納凹部に収納される固体撮像素子と、固体撮像素子収納凹部内に固体撮像素子を封止する透明部材とを備えている。
【００１１】
従って、本発明によれば、位置決め孔の中心同士を結ぶ直線と該取付孔の中心同士を結ぶ直線とが固体撮像素子収納パッケージ自身の中心乃至その近傍で交差するように各位置決め孔及び各取付孔を配置したので、図３に示す従来例において存在したところの取付孔形成部の位置決め孔と反対側の無駄なスペースをなくすことができる。
【００１２】
依って、同じ大きさの固体撮像素子に対する固体撮像素子収納パッケージの大きさを従来よりも小さくすることができる。因みに、本発明によれば、図３に示す従来例において前述のように、２＊｛（ａ／２）＋ｂ＋ｃ＋ｄ｝の長さが必要であった短辺を、ａ＋ｂ＋ｃ＋２ｄに長さに顕著に短くすることができ、その分固体撮像素子収納パッケージを小さくすることが可能である。
【００１４】
さらに、本発明では、固体撮像素子収納凹部の両側表面を収納凹部内の固体撮像素子を封止する透明部材の表面よりも高くしているので、パッケージ表面にレンズ筐体等を取り付けたとき透明部材に接触する（あたる）ことを有効に防止することができ、また、透明部材の表面を収納部に接着する接着剤が固体撮像素子収納凹部からその両側の部分表面に食み出してレンズ筐体等の正常な取り付けが妨げられるおそれをなくすことができる。
【００１５】
【発明の実施の形態】
本発明は、固体撮像素子収納凹部の両側にそれぞれに位置決め孔及び取付孔を設けた平面形状が略矩形状の固体撮像素子収納パッケージの該各位置決め孔及び上記各取付孔を、該位置決め孔の中心同士を結ぶ直線と該取付孔の中心同士を結ぶ直線とが固体撮像素子収納パッケージ自身の中心で交差し、水平方向、垂直方向に対して斜めになるような位置に配置したことを特徴とするが、固体撮像素子収納パッケージの材料には特徴がなく、例えばセラミックを用いても良いし、樹脂を用いても良い等、種々のものを用いることができ得る。
【００１６】
位置決め孔は一般的には貫通孔からなる場合が多いが、必ずしも貫通孔にすることは不可欠ではなく、凹み、窪み等と称される有底孔で形成しても良い。パッケージの中心に対して互いに対称な位置に配置される対を成す位置決め孔の一方は真円で形成し、他方は、その対を成す位置決め孔の中心を結ぶ直線の方向に沿って稍長い長孔に形成することが好ましいと言えるが、必ずしもそのようにすることが不可欠であるというわけではない。
【００１７】
また、固体撮像素子収納凹部の両側表面を収納凹部内の固体撮像素子を封止する透明部材の表面よりも高くするようにしているので、パッケージ表面にレンズ筐体等を取り付けたとき透明部材に接触する（あたる）ことを有効に防止することができ、また、透明部材の表面を収納部に接着する接着剤が固体撮像素子収納凹部からその両側の部分表面に食み出してレンズ筐体等の正常な取り付けが妨げられるおそれをなくすことができる。
【００１８】
固体撮像素子収納パッケージに収納される固体撮像素子は、ＣＣＤ固体撮像素子であっても、ＭＯＳ型固体撮像素子であっても、増幅型固体撮像素子であっても良いことはいうまでもなく、また、固体撮像素子収納パッケージに固体撮像素子を収納させた固体撮像装置はビデオカメラ用であってもスチルカメラ用であっても良い等、用途は限定されない。
【００１９】
【実施例】
以下、本発明を図示実施例に従って詳細に説明する。
図１は本発明固体撮像素子収納パッケージの一つの実施例を示す平面図である。図面において、１１は固体撮像素子収納パッケージであり、該固体撮像素子収納パッケージ１１の上面は固体撮像素子収納後に固体撮像装置を例えばレンズ筐体に取り付ける場合における光軸方向の位置合わせ、位置検出における基準面とされる。２は固体撮像素子を収納する収納凹部で、パッケージ１１の中央部に設けられている。ｏはパッケージ１１の中心点である（収納凹部２の中心点でもある）。３、４はパッケージ１１の収納凹部２の両側に設けられた位置決め孔で、該位置決め孔３と位置決め孔４を結ぶ直線ｌ34がパッケージ１の中心を通り且つ水平方向、垂直方向に対して斜めになるような位置関係に配置されている。尚、位置決め孔３と４のうちの一方４は上記結ぶ直線ｌ34の方向に長い長孔になっている。
【００２０】
５、６はパッケージ１１の収納凹部２の両側に設けられた取付孔で、該取付孔５と６を結ぶ直線ｌ56がパッケージ１の中心ｏを通り、更に水平方向、垂直方向に対して斜めであって、且つ上記位置決め孔３と位置決め孔４を結ぶ直線ｌ34に対して交差するような位置関係に配置されている。７、７、・・・は固体撮像素子の電極を電気的にパッケージ１１外部に導出するリードである。
【００２１】
本固体撮像素子収納パッケージ１１の短辺は、取付孔５、６の径をａ、取付孔５、６と位置決め孔３、４との間に設けるべき間隔をｂ、位置決め孔３、４の径をｃ、位置決め孔３、４とパッケージ１の辺との間に設けるべき距離をｄとすると、ａ＋ｂ＋ｃ＋２ｄにすることができる。即ち、図３に示す従来例１においては２＊｛（ａ／２）＋ｂ＋ｃ＋ｄ｝の長さが必要であった短辺を、ａ＋ｂ＋ｃ＋２ｄの長さに著しく短くでき、その分固体撮像素子収納パッケージ１１の大きさを小さくすることができたのである。尚、図３において、１点鎖線で示す線１１は本実施例のパッケージの外形を示し、従来例と本実施例との大きさを対比できるようにしたものである。
【００２２】
このように固体撮像素子収納パッケージ１１を小さくすることができるのは、位置決め孔３、４の中心同士を結ぶ直線ｌ34と取付孔５、６の中心同士を結ぶ直線ｌ56とが固体撮像素子収納パッケージ１１自身の中心ｏで交差するように各位置決め孔３、４及び各取付孔５、６を配置したので、図３に示す従来例において存在したところの取付孔形成部の位置決め孔と反対の無駄なスペースをなくすことができたからに他ならない。
【００２３】
図２（Ａ）〜（Ｃ）は本発明固体撮像素子収納パッケージに固体撮像素子を収納し、透明部材で該固体撮像素子を封止した固体撮像装置の一例（本発明固体撮像装置の一つの実施例）を示すもので、（Ａ）は平面図、（Ｂ）は（Ａ）のＢ−Ｂ線視断面図、（Ｃ）は側面図である。尚、図２においては、図１と共通する部分には同じ符号を付し、図１には現れない部分及び固体撮像素子収納パッケージ１１には存在しない部分について新たな符号を付した。そこで、新たな符号を付した部分についてのみ説明をする。
【００２４】
１２は固体撮像素子収納凹部２内に収納された固体撮像素子で、その電極は便宜上図示を省略したワイヤを介してリード７の内端部に接続されている。１３は該収納凹部２内の固体撮像素子１２を封止する透明部材、例えばガラス板である。
そして、図２（Ｂ）、（Ｃ）に示すように、該透明部材１３の高さより、固体撮像素子１２を封止する固体撮像素子収納凹部２の両側部分の表面の高さの方が高くなるようにされている。このようにすると、パッケージ表面にレンズ筐体等を取り付けたとき透明部材に接触する（あたる）ことを有効に防止することができ、また、透明部材の表面を収納部に接着する接着剤が固体撮像素子収納部からその両側の部分表面に食み出してレンズ筐体等を正常な取り付けが妨げられるおそれをなくすことができるからである。
【００２５】
図２の固体撮像装置は、図１に示すような本発明に係る固体撮像素子収納パッケージ１１に固体撮像素子１２を収納し、透明部材１３により封止したので、固体撮像素子収納パッケージ１１の持つ利点をそのまま享有することができ、同じ固体撮像素子に対する大きさを従来よりも相当に小さくすることができる。
【００２６】
【発明の効果】
本発明によれば、位置決め孔の中心同士を結ぶ直線と該取付孔の中心同士を結ぶ直線とが固体撮像素子収納パッケージ自身の中心乃至その近傍で交差し、水平方向、垂直方向に対して斜めになるように各位置決め孔及び各取付孔を配置したので、図３に示す従来例において存在したところの取付孔形成部の位置決め孔と反対側の無駄なスペースをなくすことができる。依って、同じ大きさの固体撮像素子に対する固体撮像素子収納パッケージ、固体撮像装置の大きさを従来よりも小さくすることができる。
【００２７】
また、固体撮像素子収納パッケージの取付孔が設けられた、固体撮像素子収納凹部の両側表面を、固体撮像素子収納凹部に固体撮像素子を収納しその固体撮像素子を透明部材により封止したときにおける該透明部材の表面よりも高くなるようにしているので、パッケージ表面にレンズ筐体等を取り付けたとき透明部材に接触する（あたる）ことを有効に防止することができ、また、透明部材の表面を収納部に接着する接着剤が固体撮像素子収納凹部からその両側の部分表面に食み出してレンズ筐体等を正常な取り付けが妨げられるおそれをなくすことができる。
【図面の簡単な説明】
【図１】本発明固体撮像素子収納パッケージの一つの実施例を示す平面図である。
【図２】（Ａ）〜（Ｃ）は本発明固体撮像装置の一つの実施例を示すもので、（Ａ）は平面図、（Ｂ）は（Ａ）のＢ−Ｂ線視断面図、（Ｃ）は側面図である。
【図３】固体撮像素子収納パッケージの従来例を示す平面図である。
【符号の説明】
１１・・・固体撮像素子、２・・・固体撮像素子収納凹部、３、４・・・位置決め孔、５、６・・・取付孔、７・・・リード、１２・・・固体撮像素子、１３・・・封止部材、ｏ・・・パッケージの中心、ｌ34・・・位置決め孔３と４を結ぶ直線、ｌ56・・・取付孔５と６を結ぶ直線。
【図１】
0004845250.tif 000002
【図２】
0004845250.tif 000003
【図３】
0004845250.tif 000004